(57)【要約】【課題】指先で蓋部の背面側を下に押すだけで飲料が飲めるワンタッチ構造のタンブラーを提供する。【解決手段】合成樹脂製の外ケース２５と内ケース２６とからなる容器本体２２と、該容器本体の上部に設けられ両側部の支軸２３を支点にして回転する略円板状の蓋部２４とを備えるタンブラー２１であって、容器本体の内周面の上端部には、支軸を挿入するＵ字状の溝部２８が形成され、溝部には、支軸の先端部２３ａが嵌合する凹部２９が形成されており、凹部に支軸の先端部を嵌合させて、蓋部の背面側を下に押した状態で、正面側が上がって飲み口用の隙間が出現する構成であり、蓋部には、周囲に沿ってリング状のパッキン材３０が設けられている。【選択図】図３
0003212858.tif 000002
【実用新案登録請求の範囲】
【請求項１】
合成樹脂製の外ケースと内ケースとからなる容器本体と、該容器本体の上部に設けられ両側部の支軸を支点にして回転する略円板状の蓋部とを備えるタンブラーであって、
前記容器本体の内周面の上端部には、前記支軸を挿入するＵ字状の溝部が形成され、該溝部には、前記支軸の先端部が嵌合する凹部が形成されており、
該凹部に前記支軸の先端部を嵌合させて、前記蓋部の背面側を下に押した状態で、正面側が上がって飲み口用の隙間が出現する構成であり、
前記蓋部には、周囲に沿ってリング状のパッキン材が設けられていること
を特徴とするタンブラー。
【請求項２】
前記蓋部は、外周が外側に張り出した張出部と、該張出部よりも内側に凹んだ凹み部と、該凹み部の下部に設けられる前記パッキン材とを備え、
該パッキン材の先端部は、前記張出部の先端部よりもやや外側に突出していること
を特徴とする請求項１に記載のタンブラー。
【請求項３】
前記外ケースと前記内ケースとの間には、発泡ウレタンが充填されていること
を特徴とする請求項１に記載のタンブラー。
【考案の詳細な説明】
【技術分野】
【０００１】
本考案は、円板状の蓋部がその両側部に備える支軸を支点にして回転し、蓋部の背面側を下に押すと、正面側が上がって飲み口用の隙間が出現するタンブラーに関するものである。
【背景技術】
【０００２】
従来のタンブラーとしては、例えば、図１０（Ａ）（Ｂ）の構成のものが知られている。このタンブラー１は、金属製の容器本体２と、容器本体２の上部にネジ部３を介して着脱自在に螺着される蓋体４とから構成される。
【０００３】
蓋体４の傾斜部５には、飲み口６と通気孔７とが形成されており、また、傾斜部５の途中に設けたヒンジ部８を中心にして上下方向に回動自在な蓋片９を有する。蓋片９には、その回動により飲み口６と通気孔７とを密閉し又は開放する栓体１０と栓体１１とを備えている（特許文献１参照）。
【０００４】
このような構成のタンブラー１は、蓋片９がヒンジ部８を中心にして上下方向に回動するので、タンブラー１を使用しない時には、蓋片９を押し下げて、栓体１０と栓体１１とで飲み口６と通気孔７とを密閉状態に閉塞する（図１０（Ａ）参照）。また、タンブラー１を使用する時には、蓋片９を上方に持ち上げて、飲み口６と通気孔７とを開放する（図１０（Ｂ）参照）。
【先行技術文献】
【特許文献】
【０００５】
【特許文献１】特開２０１３−１８４７３８号公報
【考案の概要】
【考案が解決しようとする課題】
【０００６】
この従来例のタンブラー１においては、倒れたときの水漏れを防止するために、蓋片９の閉止状態が強堅に調整されており、そのため、蓋片９を上方へ持ち上げる開動作には比較的強い手の力を必要とする。従って、手の力が弱い高齢者や、手の不自由な人にとっては、蓋片９を持ち上げる動作が難しく面倒であるという問題点を有している。
【０００７】
一方、その欠点を解消すべく蓋片９の閉止状態を軽く調整するならば、栓体１０の飲み口６への密閉状態が緩くなるので、タンブラー１が倒れたときに水漏れが生じ易いという問題点が発生する。
【０００８】
また、タンブラー１に飲料を入れるときや、洗浄するときには、蓋体４を回転してネジ部３を緩め、容器本体２から取り外す必要があり、その手間が面倒で厄介であるという問題点を有している。
さらには、ネジ部３の窪みに汚れが付着し易いという問題点も有している。
【０００９】
従って、従来例におけるタンブラー１においては、蓋を開けるのに強い力を必要とせず簡単に行えるようにして、手の不自由な人や手の力が弱い高齢者であっても使い易くすることと、倒れても水漏れを生じさせないことと、蓋体４の取り外しを容易にして、タンブラー１に飲料を入れるときや洗浄するときの利便性を向上することとに解決しなければならない課題を有している。
【課題を解決するための手段】
【００１０】
前記従来例の課題を解決するための本考案の要旨は、合成樹脂製の外ケースと内ケースとからなる容器本体と、該容器本体の上部に設けられ両側部の支軸を支点にして回転する略円板状の蓋部とを備えるタンブラーであって、前記容器本体の内周面の上端部には、前記支軸を挿入するＵ字状の溝部が形成され、該溝部には、前記支軸の先端部が嵌合する凹部が形成されており、該凹部に前記支軸の先端部を嵌合させて、前記蓋部の背面側を下に押した状態で、正面側が上がって飲み口用の隙間が出現する構成であり、前記蓋部には、周囲に沿ってリング状のパッキン材が設けられていることである。
【００１１】
また、前記蓋部は、外周が外側に張り出した張出部と、該張出部よりも内側に凹んだ凹み部と、該凹み部の下部に設けられる前記パッキン材とを備え、該パッキン材の先端部は、前記張出部の先端部よりもやや外側に突出していること、；
前記外ケースと前記内ケースとの間には、発泡ウレタンが充填されていること、；
を含むものである。
【考案の効果】
【００１２】
本考案に係るタンブラーによれば、円板状の蓋部がその両側部に備える支軸を支点にして回転し、蓋部の背面側を下に押すと、正面側が上がって飲み口用の隙間が出現する構成なので、指先で蓋部を下に押すだけで、簡単に飲料が飲めるワンタッチ構造である。
つまり、手や指の強い力が必要でなく、簡単な動作で飲み口用の隙間を開けられるので、手の不自由な人や、手の力が弱い高齢者などであっても使い易くて便利である。
また、蓋部の背面側をさらに下に押し込むと垂直になり、そのまま上方に引っ張り上げると当該蓋部を簡単に取り外すことができる。従って、タンブラーに飲料を入れるときや、洗浄するときの利便性が向上する。
さらには、容器本体等にネジ部が存在しないので、従来例のようにネジ部の窪みに汚が付着することがなく、容器本体や蓋部を常に清潔に保てるという種々の優れた効果を奏する。
【００１３】
蓋部は、外周が外側に張り出した張出部と、張出部よりも内側に凹んだ凹み部と、凹み部の下部に設けられるパッキン材とを備え、パッキン材の先端部は、張出部の先端部よりもやや外側に突出していることによって、蓋部を閉めた状態で、パッキン材の先端部が容器本体の内周面に密着する。従って、蓋部の密閉状態が確実であり、タンブラーが倒れても水漏れが生じないという優れた効果を奏する。
【００１４】
容器本体は、合成樹脂製の外ケースと内ケースとからなるので、従来例の金属製のものと比較して軽量化が図れる。また、外ケースと内ケースとの間には、発泡ウレタンが充填されていることによって、容器本体の熱伝導が小さくなり、その結果、保温効果や保冷効果が向上するという種々の優れた効果を奏する。
【図面の簡単な説明】
【００１５】
【図１】本考案に係るタンブラー２１の正面側から見た斜視図である。
【図２】本考案に係るタンブラー２１の背面側から見た斜視図である。
【図３】本考案に係るタンブラー２１を各部材に分離した状態の斜視図である。
【図４】本考案に係るタンブラー２１の正面図である。
【図５】本考案に係るタンブラー２１の背面図である。
【図６】図４のＡ−Ａ線断面図である。
【図７】本考案に係るタンブラー２１の容器本体２２を断面にして示す側面図である。
【図８】本考案に係るタンブラー２１の容器本体２２を断面にして示す側面図である。
【図９】本考案に係るタンブラー２１の容器本体２２を断面にして示す側面図である。
【図１０】（Ａ）従来例に係るタンブラー１の蓋体４を断面にして示す側面図である。（Ｂ）（Ａ）の蓋片９を上方向に持ち上げた状態の側面図である。
【考案を実施するための形態】
【００１６】
次に、本考案の実施の形態について図面を参照しながら説明する。まず、図１から図５において、符号２１はタンブラーを示し、このタンブラー２１は、容器本体２２と、容器本体２２の上部に設けられ、両側部の支軸２３（図３参照）を支点にして回転する略円板状の蓋部２４とから構成される。
【００１７】
容器本体２２は、プラスチック等の合成樹脂材で形成され、筒形又はコップ形を呈し、図３に示すように、外側の外ケース２５と内側の内ケース２６との二重構造に形成されている。このように容器本体２２は合成樹脂材で形成されるので、従来例の金属製のものと比較して軽量化が図れる。
なお、図３中の符号３３は、滑り止め用の板材を示す。
【００１８】
また、外ケース２５と内ケース２６との間には、図６に示すように、発泡ウレタン２７が充填されている。従って、容器本体２２の熱伝導が小さくなって、保温効果や保冷効果が向上する。
【００１９】
容器本体２２の内周面（内ケース２６の内周面）の上端部には、図３に示すように、Ｕ字状の溝部２８が対向した位置に２箇所形成されており、この溝部２８には、上部から蓋部２４の支軸２３を挿入できるようになっている。また、溝部２８には、支軸２３の先端部２３ａを嵌合する凹部２９が形成されている。
【００２０】
蓋部２４は、図３に示すように、略円板状を呈しており、外周に沿って外側に張り出した張出部２４ａが形成されている。
張出部２４ａの下部には、図６及び図７に示すように、当該張出部２４ａよりも周囲が凹んだ凹み部２４ｂが形成されており、凹み部２４ｂに一対の支軸２３が突出した状態で設けられている。
また、凹み部２４ｂの下部には、リング状のパッキン材３０が設けられており、パッキン材３０は、シリコン又はゴムで形成されている。
【００２１】
パッキン材３０の先端部３０ａは、図６及び図７に示すように、張出部２４ａの先端部よりもやや外側に突出して形成されている。従って、蓋部２４を閉めた状態で、パッキン材３０の先端部３０ａが容器本体２２の内周面（内ケース２６の内周面）に密着し、蓋部２４の密閉状態が確実になるので、タンブラー２１が倒れても水漏れが生じない。
【００２２】
このような構成の蓋部２４は、両側部の支軸２３を支点にして回転するので、図８に示すように、蓋部２４の背面側を下に押した状態で、正面側が上がって飲み口用の隙間３１が出現し、また、通気用の隙間３２が出現する。
【００２３】
以上のように構成されるタンブラー１１は、円板状の蓋部２４がその両側部に備える支軸２３を支点にして回転し、蓋部２４の背面側を下に押すと、正面側が上がって飲み口用の隙間３１が出現する構成なので（図８参照）、指先で蓋部２４を下に押すだけで、簡単に飲料が飲めるワンタッチ構造である。
つまり、手や指の強い力が必要でなく、簡単な動作で飲み口用の隙間３１を開けられるので、手の不自由な人や、手の力が弱い高齢者などであっても使い易くて便利である。
【００２４】
また、図９に示すように、蓋部２４の背面側をさらに下に押し込むと垂直になり、そのまま上方に引っ張り上げると（矢印Ｂ参照）、当該蓋部２４を簡単に取り外すことができる。従って、タンブラー２１に飲料を入れるときや、洗浄するときの利便性が向上する。
さらには、容器本体２２等にネジ部が存在しないので、従来例のようにネジ部の窪みに汚が付着することがなく、容器本体や蓋部を常に清潔に保てる。
【符号の説明】
【００２５】
１    タンブラー
２    容器本体
３    ネジ部
４    蓋体
５    傾斜部
６    飲み口
７    通気孔
８    ヒンジ部
９    蓋片
１０、１１  栓体
２１  タンブラー
２２  容器本体
２３  支軸
２３ａ先端部
２４  蓋部
２４ａ張出部
２４ｂ凹み部
２５  外ケース
２６  内ケース
２７  発泡ウレタン
２８  溝部
２９  凹部
３０  パッキン材
３０ａ先端部
３１  飲み口用の隙間
３２  通気用の隙間
３３  滑り止め用の板材
【図１】
0003212858.tif 000003
【図２】
0003212858.tif 000004
【図３】
0003212858.tif 000005
【図４】
0003212858.tif 000006
【図５】
0003212858.tif 000007
【図６】
0003212858.tif 000008
【図７】
0003212858.tif 000009
【図８】
0003212858.tif 000010
【図９】
0003212858.tif 000011
【図１０】
0003212858.tif 000012